(57)【要約】      （修正有） 【課題】一人前のジュースの作成が出来、かつ、コップ等に移すことなく其の侭飲用に供することが出来るブレンダーを提供する。【解決手段】ブレンダーは、通常一回で飲用できる程度の容量のコップ状の容器体１を備える。容器体１の上面開口部に対して、周縁に突起状周縁4ａが突設されており、かつ、飲み口に当たる部分には、飲用時にこぼれないように案内するための丈高に形成した飲用案内用膨出状周縁４ｂを設け、飲用案内用膨出状周縁４ｂに臨接させて飲み口用開口部を開設した蓋体４を着脱自在に取り付け、飲み口用開口部を開閉自在に閉鎖するための適宜開閉蓋を設ける。【選択図】図１
0003161607.tif 000002
【実用新案登録請求の範囲】
【請求項１】
ブレンダーにおけるジュース作成を司る容器体(１)として、通常一回で飲用できる程度の容量のコップ状のものとすると共に、当該容器体(１)の上面開口部に対して、
周縁に突起状周縁(4ａ)が突設されており、かつ、飲み口に当たる部分には、飲用時にこぼれないように案内するための丈高に形成した飲用案内用膨出状周縁(4ｂ)を設けると共に、当該飲用案内用膨出状周縁(4ｂ)に臨接させて飲み口用開口部(4ｃ)を開設した蓋体(４)を着脱自在に取り付け、
当該飲み口用開口部(4ｃ)を開閉自在に閉鎖するための適宜開閉蓋を設けるように構成したブレンダー。
【請求項２】
容器体(１)として、４００ｃｃ程度の容量を具えたコップ状ものを用いた請求項１に記載のブレンダー。
【請求項３】
スライドさせることによって飲み口用開口部(4ｃ)に対する開放または閉鎖を成すための開閉蓋(５)を、蓋体(４)に対して摺動自在に取り付けたことを特徴とする請求項１又は請求項２の何れかに記載のブレンダー。
【考案の詳細な説明】
【技術分野】
【０００１】
本考案は、実果、野菜等の材料を容器内に収容し、これをブレードで細かく裁断してジュースを作成するためのブレンダーに関する。
【背景技術】
【０００２】
元来、ブレンダーはミキサーとも称され、図４に示すように、モーターが収装されている駆動用本体Ａの上部に、当該モーターに依って所定の噛合い連結盤を介して回転運動がなされるブレードが底部の内側に取り付けられておりかつ当該ブレードで裁断された所要の材料を収容するための容器体Ｂを、着脱自在に載置連結するように構成することを基本的構成とする。  なお、Ｃは上記容器体Ｂの下方に固設した載置連結用筒部であって、所定の噛合い連結盤等が収装されており、駆動用本体Ａ上に対する着脱自在な取り付けを行うためのものである。
【０００３】
そして、従来のブレンダーは、容器内に作成されたジュースをコップ等に注ぎ入れて飲用に供することを通例とした。  すなわち、多量のジュースをまとめて作成し、これをコップ等に小分けして飲むと言うような形態で利用することが原則とされていた。
【０００４】
この種ブレンダー（ミキサー）としては、上記したようなコップ等に対する小分け作業の容易化を図るために、図４に示すように容器Ｂの蓋Ｄに対して注ぎ口Ｅを形成したものが存在する（例えば 実用新案登録文献１参照。）。  すなわち、従来のブレンダーは、これで調理製造したジュースを、コップ等に小分けして飲用に供することを原則とするものであった。
【０００５】
【特許文献１】実開平５−６０４３４号公報
【考案の開示】
【考案が解決しようとする課題】
【０００６】
独身者、単身赴任者等１人で生活している者にあっては、調理するジュースも一人前、すなわち、コップ一杯で事足り、また、このようなジュースは朝食として用いることが多く、出勤前の慌しい時間帯であることにも鑑み、出来るだけ負担が生じず簡便かつ簡易な形態でジュースを飲用したいとするのが共通認識である。  従って、多くは缶ジュースに依存することが多いが、毎日のことで費用的負担も大きくなるばかりでなく、お仕着せ的なジュースであるため、自分の好みにあったものを得ることはなかなか出来ないものである。
【０００７】
上記のような事柄を解消するために、好みの野菜、果物、蜂蜜等を用いて自分好みのジュースを造るには、前記したような既存のブレンダー（ミキサー）を用いることとなるが、この場合、必要以上のジュースが造られてしまうため、余ったジュースを別容器に移しての保管、ブレンダーの容器の洗浄、更に小分けして飲用する際に用いたコップの洗浄等、一杯のジュース飲用に伴い多くの煩雑な作業を行わざるを得なかった。
【０００８】
本考案は、このような従来のブレンダーを用いた際の問題点を解消し、一人前のジュースの作成が出来ると共に、コップ等に移すことなく其の侭飲用に供することが出来るという、新規なブレンダーの提供を図ったものである。
【課題を解決するための手段】
【０００９】
本考案は、請求項１に記載のように、ブレンダーにおけるジュース作成を司る容器体１として、通常一回で飲用できる程度の容量のコップ状のものとすると共に、当該容器体１の上面開口部に対して、周縁に突起状周縁4ａが突設されており、かつ、飲み口に当たる部分には、飲用時にこぼれないように案内するための丈高に形成した飲用案内用膨出状周縁4ｂを設けるとと共に、当該飲用案内用膨出状周縁4ｂに臨接させて飲み口用開口部4ｃを開設した蓋体４を着脱自在に取り付け、当該飲み口用開口部4ｃを開閉自在に閉鎖するための適宜開閉蓋を設けるように構成したブレンダーに係る。
【００１０】
本考案は、請求項２に記載のように、容器体１として、４００ｃｃ程度の容量を具えたコップ状ものを用いた請求項１に記載のブレンダーを実施の態様とするものである。
【００１１】
本考案は請求項３に記載のように、スライドさせることによって飲み口用開口部4ｃに対する開放または閉鎖を成すための開閉蓋５を、蓋体４に対して摺動自在に取り付けたことを特徴とする請求項１又は請求項２の何れかに記載のブレンダーを実施の態様とするものである。
【考案の効果】
【００１２】
本考案に係るブレンダーは、請求項１に記載のような構成、すなわち、ブレンダーにおけるジュース作成を司る容器体１として、通常一回で飲用できる程度の容量のコップ状のものとすると共に、当該容器体１の上面開口部に対して、周縁に突起状周縁4ａが突設されており、かつ、特に飲み口に当たる部分には、飲用時にこぼれないように案内するための丈高に形成した飲用案内用膨出状周縁4ｂを設けると共に、当該飲用案内用膨出状周縁4ｂに臨接させて飲み口用開口部4ｃを開設した蓋体４を着脱自在に取り付け、当該飲み口用開口部4ｃを開閉自在に閉鎖するための適宜開閉蓋を設けるように構成したから、好みのジュースを１人分作ることができると同時に、ジュースを作った容器体１をそのままコップとして利用しての飲用が可能化されることとなる。
【００１３】
すなわち、従来のブレンダーであると、必要以上のジュースが造られてしまうため、余ったジュースを別容器に移しての保管、ブレンダーの容器の洗浄、更に小分けして飲用する際に用いたコップの洗浄等煩雑な作業が伴うものであった。  これに対して本 考案に依れば、上記のようにジュース作成用たる容器体１自体を飲用容器（コップ）としての利用が図られ、かつ１人分のジュースの作成が可能化されるため、上記のような従来のブレンダーに於いて生じた煩雑作業の省略化が図られることとなる。
【００１４】
従って、本 考案に係るブレンダーは、  独身者、単身赴任者等１人で生活している者にあっては、まさに最適なアイテムとされ、特にジュースは朝食として供する場合、上記のような扱いの簡易性は、出勤前の慌しい最中おいては取り分け顕著な至便性が発揮されることとなる。
【００１５】
本考案は請求項２に記載のように、容器体１として、４００ｃｃ程度の容量を具えたコップ状ものを用いることにより、一人分としての作成ジュース量を上記容量の範囲で調節することが出来る。  従って、当該容器体１を飲用のためのコップとしての利用が何等齟齬無く図られることとなる。
【００１６】
本考案は請求項３に記載のように、スライドさせることによって飲み口用開口部4ｃに対する開放または閉鎖を成すための開閉蓋５を、蓋体４に対して摺動自在に取り付けるように構成することにより、ジュース作成時における飛沫飛散を防止するこが出来ると共に、飲用に際する飲み口用開口部4ｃの開放、及び、飲み残しの保管に際する当該飲み口用開口部4ｃの閉鎖が、ワンタッチ的に達成されることとなる。  そして、外観的にも極めてスッキリとしたものとされる。
【考案を実施するための最良の形態】
【００１７】
図１において、１は駆動用本体であってその内部には駆動用モーター（図示してない）が内蔵されている。  ２はジュース作成を司る容器体であって、その底部の内側には粉砕的裁断を行うためのブレード３が回転自在に設けられている。    そして、当該容器体２の底部には、駆動力伝達のための所定の噛合い連結盤等が収装されている載置連結用筒部2ａが連設されており、これを駆動用本体１の上面に着脱自在に連結する事により、当該駆動用本体１に収装されているモーターの駆動力（回転力）が上記ブレード３に対して伝えられるように構成されている。  １ａは駆動制御用スイッチであって、駆動用本体１の正面に設けられている。
【００１８】
なお、上述したようなブレンダー自体の構成は、ブレンダーとしての基本的な構造に属する公知技術であるため、細部に関する説明は省略する。  そして、本 考案は容器体２部分の構成を技術的要部とするものである。
【００１９】
すなわち本考案は、本来、ジュースの作成に専ら従事するためのものであるところの容器体２を、飲用のためのコップとしての利用を図るようにした構成、すなわち、これを駆動本体１から取外した状態であたかも一人用コップのような利用が図られるような構成、並びに、このような使用時における飲用に適した形態の蓋体を設けるように構成したことを 考案の技術的要部とするものである。
【００２０】
上記した容器体２であるが、これはコップ状形態とするような形状を呈し、通常一回で飲用できる程度の容量、すなわち、４００ｃｃ程度としてある。  そして、当該容器体２は攪拌時のブレンド状態を可視的に確認するためには透明資材で形成することが好ましいが、これに限定されるものではない。  なお、駆動本体１の大きさも、上記した容器体２の容量に即した小型軽量のものでよく、通常、全体重量が９００グラム程度とするように設定することが、取扱の簡易性の上から好ましい。
【００２１】
４は容器体２の上面開口部に嵌着する蓋体であって、その周縁には突起状周縁4ａが突設されており、当該周縁4ａの特に飲み口に当たる部分は、飲用時にこぼれない様に案内するための丈高に形成した飲用案内用膨出状周縁4ｂを設けるように構成してある。
【００２２】
4ｃは飲み口用開口部であって、蓋体４における飲み口形成膨出状周縁4ｂに臨接させて開設してある。  そして、当該開口部4ｃは図３に示すように開閉蓋５を介して通常は閉鎖隠蔽状態に保たれており、飲用に際して当該開閉蓋５を同図に矢印で示す方向にスライドさせることによって、開口部4ｃを現出（開放）させるように構成してある。  すなわち、当該飲み口用開口部4ｃは、蓋体４に対して摺動自在に取り付けた開閉蓋５のスライド操作に基づきその開放または閉鎖が切換え的に成されるように構成してある。
【００２３】
5ａは当該開閉蓋５の基端部に形成した指掛け用膨大部であって、当該開閉蓋５のスライド操作を行う際の指掛け部としての使命を担うものである。
【００２４】
ところで、上記した蓋体４は容器体２の上面開口部を閉鎖しておくことによって、ブレード３の回転に基づき製造されるジュースが容器体２の開口部から飛散することを防止するためのものであり、従って、その飲み口用開口部4ｃは閉鎖状態に保っておくものである。
【００２５】
そして、飲用に際しては容器体２を駆動本体１から外すと共に、当該飲み口用開口部4ｃを開けた状態で図３に示すようにコップのように直接把持して行うものである。  従って、上記した開閉蓋５は、飲み口用開口部4ｃに対する開放または閉鎖が切換え的に達成可能とするものであれば、図示のようなスライド方式のもの以外であっても可とする。
【００２６】
また、図示の実施例にあっては、蓋体４は容器体２の上面開口部に差し込むような形態としてあるが、これは容器体２の上面開口部に対して被せるような形態の蓋体としてもよい。  要はジュース製造時に容器体１の上面から内蔵液が飛散しないような形態であれば、当該蓋体の形態は特別の限定性は存在しない。
【図面の簡単な説明】
【００２７】
【図１】本 考案に係るブレンダー全体の斜視図である。
【図２】本 考案の要部とする蓋体の斜視図である。
【図３】本 考案に係るブレンダーによる飲用形態を表した説明用斜視図である。
【図４】従来のブレンダー（ミキサー）の一部切欠側面図である。
【符号の説明】
【００２８】
１  駆動用本体
1ａ 駆動制御用スイッチ
２  容器体
2ａ  載置連結用筒部
３  ブレード
４  蓋体
4ａ突起状周縁
4b飲用案内用膨出状周縁
4ｃ 飲み口用開口部
５  開閉蓋
5ａ指掛け用膨大部
【図１】
0003161607.tif 000003
【図２】
0003161607.tif 000004
【図３】
0003161607.tif 000005
【図４】
0003161607.tif 000006